(57)【要約】【課題】操作レバーの軽い回動操作力と強い姿勢保持力とを両立させた仮係止構造を持つコネクタを提供する。【解決手段】このコネクタは、ハウジング１０と、ワイヤカバー２０と、操作レバー３０と、カム部材４０とを備えている。ワイヤカバー２０には仮係止突起２４３が設けられている。操作レバー３０には仮係止凹部が設けられている。操作レバー３０は、電線取出口２１に重なる仮係止状態にあるとき、仮係止突起２４３が仮係止凹部に入り込んで、仮係止状態に保持されている。操作レバー３０は、仮係止状態にあるときに電線から反力を受けるが、仮係止突起２４３はその反力に耐える。仮係止突起２４３には、仮係止状態に向かって回動操作されてきた操作レバー３０の縁３０ａが接触する斜面が形成されている。ワイヤカバー２０のアーム部２３を両側から摘むと、アーム部２３が撓んで仮係止が解除される。【選択図】図５
2015220079.tif 000002
【特許請求の範囲】
【請求項１】
複数の電線引出口が形成された略長方形状の電線引出面を有するハウジング、
相手コネクタに設けられたカムピンを受け入れ該カムピンを引き込むことにより当該コネクタを相手コネクタに嵌合させるカム溝が形成されたカム部材、
前記電線引出面の長手方向中央部から一方の端部にかけて広がり、該電線引出面との間に空間を空けて該電線引出面を覆うドーム部と、前記ドーム部から前記電線引出面の他方の端部に向かって延在して、互いの間に、前記複数の電線引出口から引き出された複数の電線を取り出す電線取出開口を形成し、互いに接離する向きに撓む一対のアーム部とを有するワイヤカバー、および
前記ワイヤカバーを跨ぐように湾曲して延びて該ワイヤカバー両側に軸支され、前記電線取出開口に重なる仮係止状態と前記ドーム部端部に重なるロック状態との間で回動自在であって、該ロック状態への回動により、前記カム溝に相手コネクタのカムピンを引き込むよう作用する操作レバーを備え、
前記ワイヤカバーが、前記ロック状態に回動された前記操作アームを該ロック状態に保持するロック部と、前記仮係止状態に回動された前記操作アームを該仮係止状態に保持する仮係止突起とを有し、
前記操作アームが、前記仮係止状態に回動したときに前記仮係止突起が入り込む仮係止凹部を有し、
前記仮係止突起が、前記仮係止状態にある前記操作アームが前記電線取出開口から取り出された前記複数の電線から受ける力に耐えて、該操作アームの該仮係止状態からの回動を阻止する形状を有することを特徴とするコネクタ。
【請求項２】
前記仮係止突起が、前記ワイヤカバーの前記電線取出開口近傍に設けられ、前記一対のアーム部を互いに近づける向きに撓ませる操作により前記仮係止凹部との間の仮係止が解除されるものであることを特徴とする請求項１記載のコネクタ。
【請求項３】
前記仮係止突起は、前記仮係止状態に向かって回動してきた前記操作アームの縁に接して該操作アームを該仮係止突起に乗り上げさせる斜面を有することを特徴とする請求項１又は２記載のコネクタ。
【請求項４】
前記カム部材は、前記電線引出面の脇に長手方向にスライド自在に前記ハウジングに支持され、
前記操作アームは、前記カム部材のラックに噛み合うピニオンギアを有することを特徴とする請求項１から３のうちのいずれか１項記載のコネクタ。
【発明の詳細な説明】
【技術分野】
【０００１】
本発明は、コネクタに関する。
【背景技術】
【０００２】
非特許文献１には、複数本の電線が引き出されるコネクタハウジングと、そのコネクタハウジングとの間に空間を持ってその電線引出面を覆うワイヤカバーとを備えたコネクタが開示されている。ワイヤカバーには、電線を外部に取り出す電線取出開口が形成されている。
【０００３】
また、このコネクタには、ハウジングにスライド自在に支持されたカム部材と、ワイヤカバーに回転自在に支持された操作レバーが備えられている。操作レバーを回動操作するとカム部材がスライドする。相手コネクタの嵌合の際にカム部材に形成されているカム溝に相手コネクタに設けられているカムピンを受け入れ、操作レバーを回動操作すると、カムピンがカム溝の奥へ引き込まれてコネクタどうしが嵌合する。
【０００４】
このような構造のコネクタにおいて、様々な要求がある中の１つとして、このコネクタを使って従来よりも太い電線を使用したハーネス（ケーブルアセンブリ）を作製することの要求がある。この要求に応えるためには、ワイヤカバーに設けられている電線取出開口を広げる必要がある。ただし、電線取出開口を広げると、相手コネクタとの嵌合前において操作レバーが電線取出開口に重なる姿勢となる。このため、その電線取出開口から外に取り出された電線が操作レバーを押し、嵌合前の正しい姿勢を維持できないおそれがある。その場合、カム部材も嵌合前の正しいスライド位置を保持できずに相手コネクタとの嵌合に支障を来すおそれがある。
【０００５】
ここで、特許文献１〜３には、カバーの仮係止突起とレバーの仮係止穴との係合によるレバー仮係止構造が開示されている。しかしながら、これら特許文献１〜３のいずれのレバー仮係止構造の場合も、仮係止突起が半球状をなしている。これにより適切な操作力でのレバーの回動操作を可能としてはいるものの、そのレバーに電線等からの外力が作用した際のレバー保持力が不十分となりがちである。
【先行技術文献】
【特許文献】
【０００６】
【特許文献１】特開２００２−５６９３４号公報
【特許文献２】特開２００３−１１５３５６号公報
【特許文献３】特開２００７−１０３２００号公報
【非特許文献】
【０００７】
【非特許文献１】Ｔｙｃｏ  Ｅｌｅｃｔｒｏｎｉｃｓ  取扱説明書（ＩＳ）４１１−７８００８−１
【発明の概要】
【発明が解決しようとする課題】
【０００８】
本発明は、上記事情に鑑み、操作レバーの軽い回動操作力と強い姿勢保持力とを両立させた仮係止構造を持つコネクタを提供することを目的とする。
【課題を解決するための手段】
【０００９】
上記目的を達成する本発明のコネクタは、
複数の電線引出口が形成された略長方形状の電線引出面を有するハウジング、
相手コネクタに設けられたカムピンを受け入れカムピンを引き込むことによりこのコネクタを相手コネクタに嵌合させるカム溝が形成されたカム部材、
電線引出面の長手方向中央部から一方の端部にかけて広がり、電線引出面との間に空間を空けて該電線引出面を覆うドーム部と、そのドーム部から該電線引出面の他方の端部に向かって延在して、互いの間に、複数の電線引出口から引き出された複数の電線を取り出す電線取出開口を形成し、互いに接離する向きに撓む一対のアーム部とを有するワイヤカバー、および
ワイヤカバーを跨ぐように湾曲して延びてワイヤカバー両側に軸支され、電線取出開口に重なる仮係止状態とドーム部端部に重なるロック状態との間で回動自在であって、ロック状態への回動により、カム溝に相手コネクタのカムピンを引き込むよう作用する操作レバーを備え、
上記ワイヤカバーが、ロック状態に回動された操作アームをそのロック状態に保持するロック部と、仮係止状態に回動された操作アームを仮係止状態に保持する仮係止突起とを有し、
上記操作アームが、仮係止状態に回動したときに仮係止突起が入り込む仮係止凹部を有し、
上記仮係止突起が、仮係止状態にある操作アームが電線取出開口から取り出された複数の電線から受ける力に耐えて、操作アームの仮係止状態からの回動を阻止する形状を有することを特徴とする。
【００１０】
本発明のコネクタにおける仮係止突起は、操作アームが電線から受ける力に対して頑強に抵抗する形状を有し、仮係止姿勢にある操作レバーはその仮係止位置に強固に保持される。
【００１１】
ここで、本発明のコネクタにおいて、上記仮係止突起が、ワイヤカバーの電線取出開口近傍に設けられ、一対のアーム部を互いに近づける向きに撓ませる操作により仮係止凹部との間の仮係止が解除されるものであることが好ましい。
【００１２】
本発明のコネクタの場合、ワイヤカバーの電線取出開口を間に置いた一対のアーム部が形成されている。この一対のアーム部を、例えば両側から指で摘むようにして互いに近づける向きに撓ませることで仮係止が解除される。これにより、仮係止姿勢にある操作レバーをロック姿勢に向けて軽い操作力で回動操作することができる。
【００１３】
また、本発明のコネクタにおいて、上記仮係止突起は、仮係止状態に向かって回動してきた操作アームの縁に接して操作アームを仮係止突起に乗り上げさせる斜面を有することが好ましい。
【００１４】
この斜面が形成されていると、操作アームを軽い操作力で仮係止状態にまで容易に回動操作することができる。
【００１５】
さらに、本発明のコネクタにおいて、上記カム部材は、電線引出面の脇に長手方向にスライド自在にハウジングに支持され、上記操作アームは、そのカム部材のラックに噛み合うピニオンギアを有するものであることが好ましい。
【００１６】
この構造を採用すると、操作アームの回動位置とカム部材のスライド位置が一義的に対応づけられる。
【発明の効果】
【００１７】
以上の本発明によれば、操作レバーの軽い回動操作力と強い姿勢保持力とを両立させた仮係止構造を持つコネクタが実現する。
【図面の簡単な説明】
【００１８】
【図１】本発明の一実施形態のコネクタであって、相手コネクタへの取付け前の状態を示した外観斜視図である。
【図２】図１と同一のコネクタであって、相手コネクタに取り付けた後の状態を示した外観斜視図である。
【図３】図１に示した状態のコネクタ（Ａ）と、そのコネクタと組み合う相手コネクタ（Ｂ）とを示した斜視図である。
【図４】相手コネクタと、その相手コネクタに組み合った状態（図２に示す状態）の本コネクタを示した斜視図である。
【図５】コネクタの、操作レバーの各操作段階の姿勢を示した斜視図である。
【図６】操作レバーが仮係止状態にあるときの本コネクタの側面図である。
【図７】ワイヤカバーの、姿勢を変えて示した各斜視図と、各斜視図にそれぞれ示した円で囲まれた拡大斜視図である。
【図８】ワイヤカバーの側面図である。
【図９】ワイヤカバーと操作レバーを、図８（Ａ）に示す矢印Ｆ−Ｆに沿って断面して示した斜視図（Ａ）と、図９（Ａ）の円Ｇの部分の拡大図である。
【図１０】ワイヤカバーと操作レバーを、図８（Ｂ）に示す矢印Ａ―Ａに沿って断面して示した斜視図（Ａ）と、図１０（Ａ）の円Ｅの部分の拡大図である。
【発明を実施するための形態】
【００１９】
以下、本発明の実施の形態を説明する。
【００２０】
図１，図２は、本発明の一実施形態のコネクタの外観斜視図である。ここで、図１は、相手コネクタ２（図３，図４参照）への取付け前の状態を示している。また、図２は、相手コネクタ２に取り付けた後の状態を示している。
【００２１】
図１，図２に示す一実施形態としてのコネクタ１は、ハウジング１０と、ワイヤカバー２０と、操作レバー３０と、２本のカム部材４０とを備えている。カム部材４０は、相手コネクタ２への取付け前の状態（図１参照）では、ハウジング１０から突出している。一方、相手コネクタ２への取付け後の状態（図２参照）では、カム部材４０はハウジング１０に収納されている。
【００２２】
ワイヤカバー２０には、電線取出開口２１が形成されている。この電線取出開口２１からは、複数本の電線５０が、このコネクタ１の外部に取り出されている。
【００２３】
操作レバー３０は、ワイヤカバー２０を跨ぐように湾曲して延びて、ワイヤカバー両側に軸支されている。そして、この操作レバー３０は、図１に示す仮係止姿勢と図２に示すロック姿勢との間で回動自在となっている。
【００２４】
この操作レバー３０を回動させると、それに伴ってカム部材４０がスライドする。相手コネクタ２への取付け前においては、操作レバー３０を図１に示す仮係止姿勢に回動させておく。このとき、カム部材４０は、ハウジング１０から突出した状態にスライドしている。この状態で相手コネクタ２への取付けを開始し、操作レバー３０を図２に示すロック姿勢にまで回動させる。すると、カム部材４０がハウジング１０に収納されるようにスライドする。そして、このカム部材４０のスライドにより、このコネクタ１が相手コネクタ２に取り付けられる。
【００２５】
図３は、図１に示した状態のコネクタ（Ａ）と、そのコネクタと組み合う相手コネクタ（Ｂ）とを示した斜視図である。ここでは、本実施形態のコネクタ（（図３（Ａ））を、相手コネクタ（図３（Ｂ））と区別するために、「本コネクタ」と称することがある。
【００２６】
また、図４は、相手コネクタと、その相手コネクタに組み合った状態（図２に示す状態）の本コネクタを示した斜視図である。
【００２７】
これら図３，図４以降の各図については、図６を除き、電線５０は図示を省略している。
【００２８】
ハウジング１０には、ワイヤカバー２０側を向いた上面１１の幅方向中央部分に電線引出面１１２が形成されている。この電線引出面１１２は略長方形状を有する。この電線引出面１１２には、２次元的に配列された複数の電線引出口１１２ａが設けられている。
【００２９】
これら複数の電線引出口１１２ａのそれぞれから１本ずつ、合計複数本の電線５０（図１，図２参照）が引き出される。
【００３０】
ワイヤカバー２０には、ドーム部２２と一対のアーム部２３が形成されている。ドーム部２２は、ハウジング１０の電線引出面１１２の長手方向中央部から一方の端部（図３における、カム部材４０が突出している左側の端部）にかけて広がっている。このドーム部２２は、電線引出面１１２との間に形成された空間２２ａに複数本の電線５０（図１，図２参照）を受け入れる。また、一対のアーム部２３は、ドーム部２２から電線引出面１１２の他方の端部（図３，図４における右側の端部）に向かって延在している。これら一対のアーム部２３は、互いに接離する向きに撓ませることができる。そして、それら一対のアーム部２３の間に、電線取出開口２１が形成されている。その電線取出開口２１からは、電線引出面１１２に形成されている複数の電線引出口１１２ａから引き出された複数の電線５０が纏まるようにして、本コネクタ１の外部に取り出される（図１，図２参照）。このワイヤカバー２０は、後述するようにしてハウジング１０に取り付けられる。
【００３１】
図３（Ｂ）に示すように、相手コネクタ２には、その外面に上下に突き出たカムピン２ａが形成されている。これに対応して、本コネクタ１の２本のカム部材４０の、互いを向いた内側の面にカム溝（不図示）が形成されている。これら２本のカム部材４０は、ハウジング１０に対し、図１，図３（Ａ）に示す突き出た位置と、図２，図４に示すハウジング１０内に入り込んだ位置との間でスライド自在となっている。これら２本のカム部材４０にはラック（不図示）が形成されている。さらに、これに対応して操作レバー３０の根元の、ハウジング１０に設けられた開口１２からハウジング１０内に入り込んだ部分には、カム部材４０のラックと噛み合うピニオンギア３１（図２，図４参照）が形成されている。さらに、この操作レバー３０は、ハウジング１０の開口１２からハウジング１０内に入り込んだ部分よりも少し上の部分で、ワイヤカバー２０に設けられた突起２４１に回転自在に軸支されている。このため、この操作レバー３０を回動操作することにより、２本のカム部材４０が、図１，図３（Ａ）に示すハウジング１０から突き出た位置と、図２，図４に示すハウジング１０内に入り込んだ位置との間でスライドする。
【００３２】
ここで、図３（Ａ）に示すように操作レバー３０が仮係止姿勢にある状態で本コネクタ１を相手コネクタ２に押し当てる。すると、相手コネクタ２のカムピン２ａが、カム部材４０に設けられている不図示のカム溝に入り込む。その後、操作レバー３０を図４に示すロック姿勢にまで回動操作する。すると、このカム機構により、本コネクタ１が相手コネクタ２に小さな力で正規の位置まで嵌め合わされる。
【００３３】
図３，図４には、相手コネクタ２と一体に備えられたもう１つの相手コネクタ３が示されている。この相手コネクタ３は、本コネクタ１と組み合う相手コネクタ２よりも長手方向の寸法が短いコネクタである。すなわち、このコネクタ３と組み合う、本コネクタ１側のコネクタとして、図１,図２に示す本コネクタよりも長手方向の寸法が短いもう１種類のコネクタが用意されている。ただし、そのコネクタは、図１，図２に示す本コネクタ１と比べ長手方向の寸法が短い点と、本コネクタ１とは異なる向きに組み合わされる点が異なるだけである。異なる向きとは、本コネクタ１のカム部材４０に相当するカム部材が、図１に示す本コネクタ１のカム部材４０とは逆向きにハウジングから突き出る向きである。この向きが異なることにより、カム部材４０に相当するカム部材に形成されているカム溝も、カム部材４０とは逆向きの動きにより嵌め合わされるように変更されている。ただし、この相手コネクタ３と組み合うコネクタの特徴部分は、ここに示した本コネクタ１の特徴部分と同一である。したがって、相手コネクタ３と組み合う本コネクタ１側のコネクタについての図示およびこれ以上の説明は省略する。
【００３４】
図５は、コネクタの、操作レバーの各操作段階の姿勢を示した斜視図である。図５（Ａ）は、操作レバー３０が仮係止状態にあるときのコネクタの斜視図である。図５（Ｂ）は、操作レバー３０が仮係止状態からロック状態に向けて少しだけ回動操作された姿勢にあるときのコネクタの斜視図である。さらに、図５（Ｃ）は、操作レバー３０がロック状態にあるときのコネクタの斜視図である。
【００３５】
操作レバー３０が、図５（Ａ）に示す仮係止状態にあるとき、カム部材４０はハウジング１０から突き出た状態にある。カム部材４０がこの状態にあるときに、相手コネクタ２（図３，図４参照）に設けられているカムピン２ａがカム部材４０に形成されているカム溝（不図示）に受け入れられる。したがって、操作レバー３０は、相手コネクタ２との嵌合にあたり、図５（Ａ）に示す仮係止状態に安定的に仮係止されている必要がある。
【００３６】
図６は、操作レバーが仮係止状態にあるときの本コネクタの側面図である。この図６には、図１，図２と同様、複数本の電線５０が示されている。
【００３７】
本コネクタ１では、複数本の電線５０に終端するコンタクト（図示せず）をハウジング１０の電線引出口１１２内に挿入した後にワイヤカバー２０が取り付けられる。この組立時のワイヤカバー２０には、操作レバー３０が組み立てられた状態にある。本コネクタ１を本相手コネクタ２（図３，図４参照）に嵌合させるときは、操作レバー３０がこの図６に示す仮係止状態にセットされる。したがって操作レバー３０は、電線５０を押している状態となり、操作レバー３０は、電線５０からこの図６に示す矢印Ｒの向きの反力を受ける。このとき、仮に、操作レバー３０が電線５０から矢印Ｒの向きの反力を受けたことで仮係止状態から例えば図５（Ｂ）に示す姿勢に動いたことを考える。この場合、その操作レバー３０の動きに伴って、カム部材４０も、操作レバー３０の動きに応じたスライド量だけスライドする。すると、カム部材４０に形成されているカム溝（不図示）の、相手コネクタ２のカムピン２ａ（図３参照）を受け入れる受入口の位置もずれてしまう。その結果、本コネクタ１と相手コネクタ２との嵌合が不能となる。そこで、本実施形態では、後述する工夫により、仮係止状態にある操作レバー３０を電線５０からの反力に抗してその仮係止状態に保持している。
【００３８】
図５に戻って説明を続ける。
【００３９】
本コネクタ１は、図５（Ａ）に示す、操作レバー３０が仮係止状態にある状態で相手コネクタ２（図３参照）との嵌合が開始される。相手コネクタ２のカムピン２ａをカム部材４０のカム溝（不図示）に入り込ませ、その状態で、図５（Ａ）に矢印Ｓ−Ｓに示すように、一対のアーム部２３を両側から摘んでそれら一対のアーム部２３を互いに近づける向きに撓ませる。すると、この操作レバー３０の仮係止が解除され、操作レバー３０の回動操作が可能となる。こうしておいて、操作レバー３０を図５（Ｂ）に示す姿勢を経由させて、図５（Ｃ）に示すロック姿勢にまで回転させる。この操作レバー３０の回動操作に伴ってカム部材４０がスライドする。そして、そのスライドに伴って、カムピン２ａ（図３参照）がカム溝（不図示）の奥に引き込まれる。操作レバー３０が図５（Ｃ）に示すロック状態にまで回転すると、カム部材４０はハウジング１０内に収納された状態となり、カムピン２ａは、本コネクタ１と相手コネクタ２とが完全嵌合した状態にまで奥に引き込まれる。
【００４０】
ワイヤカバー２０のドーム部２２の上壁２２２にロック部２２３が形成されている。このロック部２２３は、その両側の一対の切り込み２２３ａにより片持ち梁形状を成している。操作レバー３０がロック状態に向けて回動操作されると、操作レバー３０がロック部２２３の先端部に当たってロック部２２３を弾性変形させる。そして、操作レバー３０は、そのロック部２２３を乗り越えて突起２４４に突き当たり、図５（Ｃ）に示すロック状態となる。このロック部２２３は逆向きには変形し難く、操作レバー３０は、突起２４４とロック部２２３とに挟まれた状態にロック（本係止）される。ロック部２２３を押し下げると、操作アーム３０がそのロック部２２３を通過することができる状態となる。
【００４１】
ここで、ロック部２２３を片持ち梁形状に形成している両側の切り込み２２３ａの根元部分に、その切り込み２２３ａの幅よりも大径の円形の穴２２３ｂが設けられている。この円形の穴２２３ｂが形成されていることにより、操作アーム３０によって、あるいは指で押されることによってこのロック部２２３が変形したときの、応力集中が避けられている。
【００４２】
ハウジング１０の上面１１には、その幅方向中央部に、複数の電線引出口１１２ａが設けられ電線引出面１１２が形成され、その周りに溝１１３が形成されている。ワイヤカバー２０は、長手方向の両端部が溝１１３内に入り込むようにして、ハウジング１０に取り付けられる。また、ハウジング１０の上面の、溝１１３の回りには、縁部１１１が設けられている。
【００４３】
一対のカム部材４０は、ハウジング１０の縁部１１１に長手方向にスライド自在に収納されている。縁部１１１には、開口１２が形成されている。カム部材４０には、その開口１２に対応する位置にラック（不図示）が形成されている。ワイヤカバー２０を操作アーム３０とともにハウジング１０に取り付けると、操作レバー３０の下部の、ピニオンギア３１が形成された部分が、開口１２に入り込む。そして、そのピニオンギア３１がラックに噛み合い、操作レバー３０の回動操作に応じてカム部材４０がスライドする。
【００４４】
相手コネクタ２に嵌合している状態の本コネクタ１を相手コネクタ２から取り外す際の操作レバー３０の動きは、上記の、本コネクタ１を相手コネクタ２に嵌合させる際の動きとは逆向きの動きとなる。本コネクタ１が相手コネクタ２に嵌合されているときは、操作レバー３０は、図５（Ｃ）に示すロック姿勢にある。ロック部２２３を押し下げてそのロック部２２３を撓ませると操作レバー３０のロックが解除される。そして、操作レバー３０を図５（Ａ）に示す仮係止状態に向けて回動操作する。この操作レバー３０は、図５（Ｂ）に示す姿勢にまで回動操作された段階で、その縁３０ａが仮係止突起２４３に接する。操作レバー３０がさらに回動操作されると、操作レバー３０は、その仮係止突起２４３に乗り上げる。操作レバー３０は、仮係止突起２４３の、後述する形状により、軽い操作力でその仮係止突起２４３に乗り上がることができる。この操作レバー３０のワイヤカバー２０側の面の、その操作レバー３０が図５（Ａ）に示す仮係止状態まで回動操作されたときの仮係止突起２４３に対面する位置には、その仮係止突起２４３が入り込む仮係止凹部３２（図９（Ｂ），図１０（Ｂ）参照）が形成されている。そして、仮係止突起２４３に乗り上げた操作レバー３０がさらに回動操作されて図５（Ａ）に示す仮係止状態に達すると、仮係止突起２４３が仮係止凹部３２に入り込む。仮係止突起２４３が仮係止凹部３２に入り込んだ状態では、操作レバー３０は、図６を参照して説明した電線５０からの反力に頑強に抵抗し、その仮係止状態に保持される。
【００４５】
図７は、ワイヤカバーの、姿勢を変えて示した各斜視図（（Ａ１），（Ｂ１），（Ｃ１））と、各斜視図（（Ａ１），（Ｂ１），（Ｃ１））にそれぞれ示した円Ｄ，Ｂ，Ｃで囲まれた部分の拡大斜視図である。ここでは、図７（Ａ１），（Ｂ１），（Ｃ１）を参照して、ワイヤカバー２０の全体構造について説明し、その後、図７（Ｂ１），（Ｃ１），（Ｄ１）を参照して、そこに示されている仮係止突起２４３について説明する。
【００４６】
ワイヤカバー２０は、前述の通り、ドーム部２２および一対のアーム部２３を有する。そして、一対のアーム部２３の間には、電線取出開口２１が形成されている。
【００４７】
ドーム部２２は、一対の側壁２２１と上壁２２２を有する。一対の側壁２２１は、ハウハウジング１０の電線引出面１１２（図３，図４参照）の両側それぞれから立ち上がる向きに広がっている。また、上壁２２２は、それら一対の側壁２２１に支えられて電線引出面１１２に対面して広がっている。そして、このドーム部２２は、それら一対の側壁２２１と上壁２２２とにより、ハウジング１０の電線引出面１１２（図３，図４参照）との間に複数の電線５０（図１，図２参照）を受け入れる空間２２ａが形成されている。このワイヤカバー２０のドーム部２２側の端部には、２つの支持突起２５が設けられている。これに対応して、ハウジング１０の、図３，図４の左側の端部には、一対の支持穴（不図示）が設けられている。これら一対の支持穴は、ハウジング１０の、図３，図４の右側の端部に設けられている一対の係止穴１１１ａと同様の形状を有する穴である。ワイヤカバー２０をハウジング１０に取り付けるに際し、ワイヤカバー２０の支持突起２５がハウジング１０の一対の支持穴に嵌められる。このワイヤカバー２０は、その支持突起２５がハウジング１０の支持穴に嵌められることによって、ハウジング１０に接離する向きに回動可能に軸支される。
【００４８】
また、一対のアーム部２３は、電線取出開口２１を間に置いて、支持突起２５が設けられた端部とは逆側の端部に向かって延びている。これらのアーム部２３は、それぞれが薄板形状を有し、互いに接離する向きに容易に撓むことができる。
【００４９】
また、各アーム部２３の先端には、各係止アーム２３１が設けられている。これらの係止アーム２３１は、ハウジング１０の上面１１に形成されている溝１１３（図５参照）の中に入り込む向きに延びている。そして、それらの係止アーム２３１の先端部にはフック２３１ａが設けられている。このフック２３１ａは、前方に突き出た部分２３１ｂと側方に突き出た部分２３１ｃとを有する。このフック２３１ａの前方に突き出た部分２３１ｂは、ハウジング１０の係止穴１１１ａ（図３，図４参照）に入り込むことによって係止される。また、ハウジング１０には、その上面１１に設けられている縁部１１１（図５参照）に係止溝（不図示）が形成されている。フック２３１ａの側方に突き出た部分２３１ｃは、その係止溝に係止される。
【００５０】
また、このワイヤカバー２０には、そのドーム部２２の側面２２１に、片面につき４つの突起２４１〜２４４が設けられている。これら４つの突起２４１〜２４４のうちの１つの突起２４１は、前述の通り、操作レバー３０を軸支するための突起である。また、突起２４２は、操作レバー３０が、図１，図３（Ａ）の姿勢にあるときに操作レバー３０の過度の回転を防止するための突起である。
【００５１】
また、突起２４３は、上述の仮係止突起である。この仮係止突起２４３については後で詳述する。
【００５２】
さらに、もう１つの突起２４４は、操作レバー３０が図５（Ｃ）に示すロック状態にあるときの操作レバー３０の回転止めの突起である。このワイヤカバー２０の、突起２４４側には、片持ち梁形状に形成されたロック部２２３が設けられている。上述の通り、操作レバー３０を突起２４４に突き当てる向きに回動操作すると、操作レバー３０がロック部２２３の先端部に当たってロック部２２３を弾性変形させる。そして、操作レバー３０は、そのロック部２２３を乗り越えて突起２４４に突き当たり、図５（Ｃ）に示すロック状態となる。このロック部２２３は逆向きには変形し難く、操作レバー３０は、突起２４４とロック部２２３とに挟まれた状態にロック（本係止）される。ロック部２２３を押し下げると、操作アーム３０がそのロック部２２３を通過することができる状態となる。
【００５３】
上述の通り、ワイヤカバー２０をハウジング１０に取り付けるにあたっては、ワイヤカバー２０の一端に形成された支持突起２５を、ハウジング１０の一端に設けられている支持穴（不図示）に、ワイヤカバー２０をハウジング１０の電線引出面１１３に対し、斜めに傾けて軸支させる。このときワイヤカバー２０は、係止アーム２３１側が持ち上がった姿勢となる。
【００５４】
次に、この軸支されたドーム部２２側の端部を回転中心にして、ワイヤカバー２０の、係止アーム２３１側を、ハウジング１０に近づける向きに回転させる。
【００５５】
すると、係止アーム２３１に形成されているフック２３１ａの、前方に突出した部分２３１ｂがハウジング１０の係止穴１１１ａに係止されるとともに、そのフック２３１ａの側方に突出した部分２３１ｃがハウジング１０の係止溝（不図示）に係止される。ワイヤカバー２０は、このようにして、支持突起２５がハウジング１０の支持穴（不図示）に支持され、フック２３１ａがハウジング１０の係止穴１１１ａおよび係止溝（不図示）に係止されることによってハウジング１０に取り付けられる。
【００５６】
図８は、ワイヤカバーの側面図である。ここで図８（Ａ）は、操作レバー３０が、ロック状態（図５（Ｃ）参照）側から回動してきて仮係止状態に達する直前の姿勢にある状態を示している。操作レバー３０の姿勢に関し、この図８（Ａ）は、図５（Ｂ）に対応している。また、図８（Ｂ）は、操作レバー３０が仮係止状態にある状態を示している。
【００５７】
また、図９は、ワイヤカバーと操作レバーを、図８（Ａ）に示す矢印Ｆ−Ｆに沿って断面して示した斜視図（Ａ）と、図９（Ａ）の円Ｇの部分の拡大図である。
【００５８】
さらに、図１０は、ワイヤカバーと操作レバーを、図８（Ｂ）に示す矢印Ａ―Ａに沿って断面して示した斜視図（Ａ）と、図１０（Ａ）の円Ｅの部分の拡大図である。
【００５９】
以下では、図７（Ａ２），（Ｂ２），（Ｃ２）とともに、これらの図８〜図１０を参照しながら、仮係止突起２４３について説明する。
【００６０】
仮係止突起２４３は、円柱形の突起の一部に斜面２４３ａが形成された形状の突起である。この斜面２４３ａは、仮係止姿勢に向かって回動操作されてきた操作レバー３０の縁３０ａがその斜面２４３ａに線で接触する向きに形成されている。図９には、操作レバー３０の縁３０ａが仮係止突起２４３の斜面２４３ａに接触した状態が示されている。
【００６１】
操作レバー３０が、図８（Ａ）に示す姿勢から図８（Ｂ）に示す仮係止状態に向けてさらに回動操作されると、操作レバー３０が仮係止突起２４３に一旦乗り上げた後、図１０に示すように、操作レバー３０に形成されている仮係止凹部３２に仮係止突起２４３が入り込んだ状態となる。ここで、仮係止突起２４３の、仮係止状態に向かって回動操作されているときの操作レバー３０の縁３０ａ側に向かって斜面２４３ａが形成されているため、操作レバー３０は軽い操作力で仮係止突起２４３に乗り上げることができる。
【００６２】
この仮係止突起２４３の、斜面２４３ａとは反対側には、可能な限り切り立った垂直面２４３ｂが形成されている。操作レバー３０の仮係止凹部３２も、これに対応して、その垂直面２４３ｂに突き当たる部分が垂直面３２ａに形成されている。このため、仮係止姿勢にある操作レバー３０が電線５０（図６参照）から反力を受けると、仮係止突起２４３の垂直面２４３ｂに仮係止凹部３２の垂直面３２ａが接触する。これにより、操作レバー３０は電線５０からの反力に頑強に抵抗し、そのまま仮係止状態に留まる。したがって、カム部材４０も、そのカム溝（不図示）に相手コネクタ２のカムピン（図３参照）を受け入れ得るスライド位置に保たれる。
【００６３】
図５（Ａ）を参照して説明した通り、ワイヤカバー２０の一対のアーム部２３を両側から摘むことによって、互いに近づく向きにアーム部２３を撓ませると、仮係止突起２４３が仮係止凹部３２から外れる。これにより、操作レバー３０を仮係止状態からロック状態に向けて回動操作することが可能となる。
【００６４】
なお、本実施形態では、ドーム部２２はハウジング１０の電線引出面１１２の大部分を覆う形態であったが、ドーム部は、その上壁が電線引出面１１２の一部を覆い且つ一対の側壁２２１を架橋するバー又は梁である場合を含むものとする。
【００６５】
また、本実施形態では、カム部材は、ハウジングにスライド自在に支持された独立した部材であったが、操作レバーと一体に形成されてもよい。この場合、操作レバーは、ピニオンギアの代りにカム溝を有する。
【符号の説明】
【００６６】
１    本コネクタ
２，３    相手コネクタ
２ａ    カムピン
１０，１１    ハウジング
１２    開口
２０    ワイヤカバー
２２    ドーム部
２３    アーム部
２５    支持突起
３０    操作レバー
３１    ピニオンギア
３２，４２    仮係止凹部
４０    カム部材
５０    電線
１１１    係止穴
１１２    電線引出面
１１２ａ    電線引出口
２２２    上壁
２２３    ロック部
２２３ａ    切り込み
２２３ｂ    穴
２３１    係止アーム
２３１ａ    フック
２４１，２４４    突起
２４２    位置規制突起
２４３    仮係止突起
２４３ａ    斜面
２４３ｂ    垂直面
【図１】
2015220079.tif 000003
【図２】
2015220079.tif 000004
【図３】
2015220079.tif 000005
【図４】
2015220079.tif 000006
【図５】
2015220079.tif 000007
【図６】
2015220079.tif 000008
【図７】
2015220079.tif 000009
【図８】
2015220079.tif 000010
【図９】
2015220079.tif 000011
【図１０】
2015220079.tif 000012